(57)【要約】      （修正有）【課題】使用者や被照射物を良好に照らすことができる洗面キャビネットを提供する。【解決手段】物品を収納する収納部３Ｄと、収納部３Ｄの下部に設けられた第１照明部１０とを備え、第１照明部１０は、ＬＥＤ素子１３Ｂ、第１照明部１０の第１ケース１１の上面及び下面に設けられ、ＬＥＤ素子１３Ｂからの光が透過して、収納部３Ｄの左右方向に延びる上側透光部１１Ｂ及び下側透光部１１Ｅ、及び上側透光部１１Ｂ及び下側透光部１１Ｅの左右方向の範囲内であって、第１照明部１０の前面に配置され、ＬＥＤ素子１３Ｂの状態を点灯状態である第２状態と消灯状態である第１状態とに切り替えるスイッチ１５Ａを有している。【選択図】図４
2019162211.tif 000002
【特許請求の範囲】
【請求項１】
物品を収納するキャビネット本体と、
前記キャビネット本体の下部に設けられた第１照明部と、
を備えた洗面キャビネットであって、
前記第１照明部は、
第１光源、
前記第１照明部の上面又は下面の少なくとも一方に設けられ、前記第１光源からの光が透過して、前記キャビネット本体の左右方向に延びる第１透光部、
及び前記第１透光部の左右方向の範囲内であって、前記第１照明部の前面、又は前記第１照明部の下面に配置された前記第１透光部より後側に配置され、前記第１光源の状態を２つ以上の異なる状態に切り替えるスイッチ、
を有していることを特徴とする洗面キャビネット。
【請求項２】
前記第１透光部は、前記キャビネット本体の左右全幅にわたって延びていることを特徴とする請求項１に記載の洗面キャビネット。
【請求項３】
前記キャビネット本体の上部に設けられた第２照明部を備えており、
前記第２照明部は、
第２光源、
前記第２照明部の上面又は下面の少なくとも一方に設けられ、前記第２光源からの光が透過して、前記キャビネット本体の左右方向に延びる第２透光部、
を有していることを特徴とする請求項１又は２に記載の洗面キャビネット。
【請求項４】
前記第１透光部の少なくとも左右両端領域に位置する前記第１光源の光の照射方向、又は前記第２透光部の少なくとも左右両端領域に位置する前記第２光源の光の照射方向の少なくとも一方が、前記キャビネット本体の前方の左右中央部に向いていることを特徴とする請求項３に記載の洗面キャビネット。
【発明の詳細な説明】
【技術分野】
【０００１】
本発明は洗面キャビネットに関するものである。
【背景技術】
【０００２】
特許文献１には、収納体に取り付けられた薄型照明具が開示されている。薄型照明具は収納体の底面下方を面照明することができる。薄型照明具は平板状の導光板の左右両端部のそれぞれに光源ユニットが設けられている。これら光源ユニットのそれぞれにはＬＥＤが設けられており、ＬＥＤのそれぞれから出射する出射光が、導光板の左右両側面から導光板内に入射するようにしてある。導光板は内部に入射したＬＥＤからの光を拡散させることによって、導光板の一方の面から面照射されるようにしてある。これにより、この薄型照明具は少ない数のＬＥＤで収納体の底面下方を面照明することができる。
【先行技術文献】
【特許文献】
【０００３】
【特許文献１】特開２０１４−２３５８３７号公報
【発明の概要】
【発明が解決しようとする課題】
【０００４】
しかし、特許文献１は、導光板の左右両端に光源ユニットが設けられているため、限られた収納体の左右幅に配置される導光板を左右方向に長くすることができない。これにより、特許文献１では、光を照射する範囲を左右方向に拡げることができなく、使用者や被照射物の左右側面部に影ができ易くなるおそれがある。
【０００５】
本発明は、上記従来の実情に鑑みてなされたものであって、使用者や被照射物を良好に照らすことができる洗面キャビネットを提供することを解決すべき課題としている。
【課題を解決するための手段】
【０００６】
本発明の洗面キャビネットは、
物品を収納するキャビネット本体と、
前記キャビネット本体の下部に設けられた第１照明部と、
を備えた洗面キャビネットであって、
前記第１照明部は、
第１光源、
前記第１照明部の上面又は下面の少なくとも一方に設けられ、前記第１光源からの光が透過して、前記キャビネット本体の左右方向に延びる第１透光部、
及び前記第１透光部の左右方向の範囲内であって、前記第１照明部の前面、又は前記第１照明部の下面に配置された前記第１透光部より後側に配置され、前記第１光源の状態を２つ以上の異なる状態に切り替えるスイッチ、
を有していることを特徴とする。
【０００７】
本発明の洗面キャビネットの第１照明部は、第１透光部の左右方向の範囲内にスイッチが設けられているため、限られたキャビネット本体の左右幅に配置される第１照明部の第１透光部をスイッチの配置によって妨げられることなく左右方向に長くすることができる。これにより、この洗面キャビネットは光を照射する範囲を左右方向に拡げることができる。
【０００８】
したがって、本発明の洗面キャビネットは使用者や被照射物を良好に照らすことができる。
【図面の簡単な説明】
【０００９】
【図１】実施例１の第１照明部及び第２照明部が取り付けられた洗面化粧台を示す正面図である。
【図２】実施例１の第１照明部及び第２照明部が取り付けられた洗面化粧台を示す側面図である。
【図３】実施例１の第１照明部の正面図である。
【図４】図３における矢視Ａ−Ａ部の断面図である。
【図５】実施例１の第１照明部を上方から見た平面図である。
【図６】図５における矢視Ｂ−Ｂ部の断面図である。
【図７】実施例１の固定部材に照明用基板が取り付けられた状態を上方から見た平面図である。
【図８】図１における矢視Ｃ−Ｃ部の断面図である。
【図９】他の実施例の第１照明部の正面図である。
【図１０】図９における矢視Ｄ−Ｄ部の断面図である。
【発明を実施するための形態】
【００１０】
本発明における好ましい実施の形態を説明する。
【００１１】
本発明の第１透光部は、キャビネット本体の左右全幅にわたって延び得る。この場合、第１光源から第１透光部を透過した光を洗面キャビネットの前方に位置する使用者や被照射物に対してより左右方向の離れた位置から照射することができる。このため、この洗面キャビネットは、使用者や被照射物の左右側面部に光を照射することができるため、使用者や被照射物の左右側面部に影が生じることを抑えることができる。
【００１２】
本発明の洗面キャビネットは、キャビネット本体の上部に設けられた第２照明部を備えており、第２照明部は、第２光源、第２照明部の上面又は下面の少なくとも一方に設けられ、第２光源からの光が透過して、キャビネット本体の左右方向に延びる第２透光部を有し得る。この場合、洗面キャビネットの前方に位置する使用者や被照射物に対して、第２光源から透光部を透過した光を使用者や被照射物の上側から照射することができる。これにより、この洗面キャビネットは、使用者や被照射物の上側面部に光を照射することができるため、使用者や被照射物の上側面部に影が生じることを抑えることができる。
【００１３】
本発明の第１透光部の少なくとも左右両端領域に位置する第１光源の光の照射方向、又は第２透光部の少なくとも左右両端領域に位置する第２光源の光の照射方向の少なくとも一方が、キャビネット本体の前方の左右中央部に向き得る。この場合、第１透光部や第２透光部の左右両端部から照射される光は、キャビネット本体の左右方向の外側に照射されることが抑えられ、使用者や被照射物に向けて良好に照射される。
【００１４】
次に、本発明の洗面キャビネットを備えた洗面化粧台を具体化した実施例１について、図面を参照しつつ説明する。
【００１５】
＜実施例１＞
実施例１の洗面化粧台１は、図１、２に示すように、洗面台２、及び洗面キャビネットであるミラーキャビネット３を備えている。
【００１６】
洗面台２は、カウンター２Ａと、カウンター２Ａを載置するキャビネット２Ｂとを有している。カウンター２Ａは、洗面ボウル２Ｃ、カウンター部２Ｄ、及び背板部２Ｅが一体的に形成されている。洗面ボウル２Ｃはカウンター２Ａの前後中央（前後は図１における手前側奥側である。以下同じ。）及び左右中央（左右は図１における左側右側である。以下同じ。）に設けられている。また、洗面ボウル２Ｃの底面は右方向に向けて僅かに下って傾斜している。また、洗面ボウル２Ｃの底面の右端部の後側には排水口２Ｎが設けられ、排水口２Ｎには排水管２Ｐが連通して連結されている。カウンター部２Ｄは洗面ボウル２Ｃの周囲を囲むように設けられている。背板部２Ｅは、後側のカウンター部２Ｄの後端縁に連続し、上方向（上下は図１における上側下側である。以下同じ。）に延びている。背板部２Ｅは正面視において、左右方向に長い長方形状である。また、背板部２Ｅの前面は平面状をなしている。背板部２Ｅの左右方向の寸法は後述するミラーキャビネット３の左右方向の寸法と同じである。キャビネット２Ｂの前端にはキャビネット２Ｂの前端を閉鎖する一対の扉２Ｆが設けられている。これら扉２Ｆは、キャビネット２Ｂの前端に左右に並んでいる。左側の扉２Ｆは左辺が蝶番（図示せず）を介してキャビネット２Ｂの前端の左辺に回動自在に連結している。右側の扉２Ｆは右辺が蝶番（図示せず）を介してキャビネット２Ｂの前端の右辺に回動自在に連結している。
【００１７】
洗面台２はカウンター２Ａの背板部２Ｅの前面の左右中央部に吐水管２Ｋが取り付けられている。吐水管２Ｋは前方下側に延びている。吐水管２Ｋは先端に湯水を吐水する吐水口２Ｌが形成されている。吐水管２Ｋは給湯管２Ｈ及び給水管２Ｊから供給された湯水を吐水口２Ｌから吐水する。この吐水口２Ｌには、例えばセンサ（図示せず）が設けられており、吐水口２Ｌの下方に使用者が手を差し出すことによって、センサが使用者の手が差し出されたことを検知して、吐水口２Ｌから湯水を吐水することができる。こうして洗面台２は構成されている。
【００１８】
ミラーキャビネット３は、図１、２に示すように、左右方向で３分割された鏡３Ａ，３Ｂ，３Ｃ、各鏡３Ａ，３Ｂ，３Ｃの後方に設けられ、物品を収納するキャビネット本体である収納部３Ｄ、収納部３Ｄの下部に設けられた第１照明部１０、第２照明部３０、及び電源部（図示せず）を有している。
左右中央に位置する鏡３Ａは、正面視において上下方向に長い長方形状をなしている。鏡３Ａは、鉛直方向に延びる一方の辺の近傍に設けられた回動軸を中心にして、収納部３Ｄの前面を開放した開放状態、及び閉鎖した閉鎖状態の間で回動自在に収納部３Ｄに取り付けられている。左右両側に位置する鏡３Ｂ，３Ｃは正面視において上下方向に長い長方形状をなしている。鏡３Ｂ，３Ｃは、鉛直方向に延びる内側の一辺の近傍に設けられた回動軸を中心にして、収納部３Ｄの前面を開放した開放状態、及び閉鎖した閉鎖状態の間で回動自在に収納部３Ｄに取り付けられている。
【００１９】
第１照明部１０は、図３〜７に示すように、第１ケース１１、固定部材１２、照明用基板１３、反射板１４、スイッチ基板１５、及び一対の閉鎖部材１６を有している。
第１ケース１１は合成樹脂製である。第１ケース１１は、図４に示すように、上壁部１１Ａ、第１透光部である上側透光部１１Ｂ、後壁部１１Ｃ、下壁部１１Ｄ、第１透光部である下側透光部１１Ｅ、及び前壁部１１Ｆを具備している。上壁部１１Ａは不透明であり、平板状に水平方向に拡がり左右方向に延びている。上側透光部１１Ｂは半透明であり、上壁部１１Ａの前端に連続し、前方向に延びている。後壁部１１Ｃは不透明であり、上壁部１１Ａの後端に連続し、垂下している。下壁部１１Ｄは不透明であり、後壁部１１Ｃの下端に連続し、前方向に延びている。下側透光部１１Ｅは半透明であり、下壁部１１Ｄの前端に連続し、前方向に延びている。前壁部１１Ｆは不透明であり、上下方向に拡がり左右方向に延びる前面部１１Ｇ、前面部１１Ｇの上端から後方向に屈曲して延びる上側前壁部１１Ｈ、及び前面部の下端から後方向に屈曲して延びる下側前壁部１１Ｊを具備している。上側前壁部１１Ｈ、及び下側前壁部１１Ｊはそれぞれの後端が上側透光部１１Ｂの前端、及び下側透光部１１Ｅの前端に連続している。前壁部１１Ｆの前面部１１Ｇの右端部には板厚方向に貫通して貫通孔１１Ｋが設けられている。つまり、貫通孔１１Ｋは上側透光部１１Ｂ及び下側透光部１１Ｅの左右方向の範囲内に形成されている。ここで、不透明とは光が透過しない性質であり、半透明とは光が透過する性質である。第１照明部１０の上側透光部１１Ｂ及び下側透光部１１Ｅは、第１照明部１０の第１ケース１１の上面及び下面に設けられている。
【００２０】
固定部材１２は上下方向に拡がり左右方向に延びる基板固定部１２Ａ、基板固定部１２Ａの上端から後方向に延びる上側固定部材１２Ｂ、及び基板固定部１２Ａの下端から後方向に延びる下側固定部材１２Ｃを具備している。また、基板固定部１２Ａの前面の左右両端部には、前方向に突出する一対の突起部１２Ｄが設けられている（図７参照。）。固定部材の左右方向に延びる長さは第１ケース１１の左右方向の長さより僅かに小さい（図５参照。）。
【００２１】
照明用基板１３は、図４〜７に示すように、照明用基板本体１３Ａ、第１光源である複数のＬＥＤ素子１３Ｂ等を具備している。照明用基板本体１３Ａは平板状をなし一方向に延びている。照明用基板本体１３Ａは、例えば、ガラスエポキシ基板である。一方向に延びる照明用基板本体１３Ａの長さは第１ケース１１の左右方向の長さより僅かに小さい。
【００２２】
複数のＬＥＤ素子１３Ｂは電源部（図示せず）から電力を供給されると白色光を発する。これらＬＥＤ素子１３Ｂは、例えば、表面実装用の素子である。これらＬＥＤ素子１３Ｂは照明用基板本体１３Ａの一方の面に照明用基板本体１３Ａの長手方向に一列に並び実装されている（図６参照。）。これらＬＥＤ素子１３Ｂの隣り合う間の寸法はほぼ同じである（図６参照。）。ＬＥＤ素子１３Ｂは、照明用基板本体１３ＡのＬＥＤ素子１３Ｂが実装された面（以降、実装面ともいう）から直交する方向に離れるに従い、この実装面を正面に見た場合におけるＬＥＤ素子１３Ｂの外形より外側に拡がるように白色光を発する（図４参照。）。なお、各ＬＥＤ素子１３Ｂにおいて、実装面に直交して実装面から離れる方向を光の照射方向という。こうして照明用基板本体１３Ａの一方の面に実装されたＬＥＤ素子１３Ｂは照明用基板本体１３Ａの一方の面に設けられた電気パターン（図示せず）を介して互いに電気的に接続されている。また、照明用基板本体１３Ａの他方の面にはＬＥＤ素子１３Ｂ等の電気部品は実装されていない。
【００２３】
こうして形成された照明用基板１３は、図５、７に示すように、照明用基板本体１３Ａの他方の面を固定部材１２の基板固定部１２Ａの前面、及び突起部１２Ｄの先端に当接し、基板固定部１２Ａ、及び突起部１２Ｄに取り付けられている。これにより、照明用基板１３は左右両側部が左右中央部に向けて湾曲することになる。これにより、照明用基板１３の左右両側部のＬＥＤ素子１３Ｂの光の照射方向が左右中央部に向くことになるため、左右両側部のＬＥＤ素子１３Ｂは左右中央部に向けて光を照射することができる。つまり、第１透光部である上側透光部１１Ｂ及び下側透光部１１Ｅの左右両端領域に位置するＬＥＤ素子１３Ｂの光の照射方向は、ミラーキャビネット３の前方の左右中央部に向いている。また、照明用基板１３はワイヤーハーネス（図示せず）等を介して電源部に電気的に接続されている。照明用基板１３のＬＥＤ素子１３Ｂには、ワイヤーハーネス、及び電気パターンを介して電力が供給される。照明用基板１３が取り付けられた固定部材１２は、上側固定部材１２Ｂを第１ケース１１の上壁部１１Ａの下面に沿わせ、下側固定部材１２Ｃを第１ケース１１の下壁部１１Ｄの上面に沿わせ、それぞれの後端を第１ケース１１の後壁部１１Ｃの前面に当接させて第１ケース１１に挿入され、第１ケース１１に固定されている（図４参照。）。第１照明部１０の上側透光部１１Ｂ、及び下側透光部１１Ｅはミラーキャビネット３の収納部３Ｄの左右方向の全幅にわたって延びている（図１、５参照。）。
【００２４】
反射板１４は、図４に示すように、ＬＥＤ素子１３Ｂからの光Ｌを上側透光部１１Ｂ、及び下側透光部１１Ｅに向けて反射する機能を有している。反射板１４は、上側反射部１４Ａ、及び下側反射部１４Ｂを具備している。上側反射部１４Ａ、及び下側反射部１４Ｂは、平板状をなして左右方向に延びており、平板状に延びる方向が互いに直交するようにそれぞれの一方の長辺が連結している。反射板１４は、上側反射部１４Ａの他方の長辺を前面部１１Ｇと上側前壁部１１Ｈとが連続する近傍に配置し、下側反射部１４Ｂの他方の長辺を前面部１１Ｇと下側前壁部１１Ｊとが連続する近傍に配置して第１ケース１１に挿入され、第１ケース１１に固定されている。反射板１４の左右方向の長さは第１ケース１１の左右方向の長さより僅かに小さい。
【００２５】
スイッチ基板１５は第１ケース１１の前壁部１１Ｆの右端部に、固定部材（図示せず）等を介して取り付けられている。スイッチ基板１５は平板状である。スイッチ基板１５は、例えばガラスエポキシ基板であり、ＬＥＤ素子１３Ｂの状態を点灯状態（オン状態）である第１状態と消灯状態（オフ状態）である第２状態との２つの異なる状態に切り替えるスイッチ１５Ａを具備している。また、スイッチ１５Ａには外形が円形状をなしたボタン１５Ｃが連結されている。スイッチ基板１５はボタン１５Ｃが第１ケース１１の前壁部の貫通孔１１Ｋに挿通されるように第１ケース１１に取り付けられている。スイッチ基板１５はワイヤーハーネス（図示せず）等を介して電源部と電気的に接続されている。つまり、スイッチ１５Ａ及びボタン１５Ｃは、上側透光部１１Ｂ及び下側透光部１１Ｅの左右方向の範囲内であって、第１照明部１０の前面に設けられている。
【００２６】
一対の閉鎖部材１６は、図６に示すように、上下方向に拡がり平板状をなして前後方向に延びている。各閉鎖部材１６は第１ケース１１の左端、及び右端のそれぞれを閉鎖している。
【００２７】
こうして構成された第１照明部１０は、図４に示すように、前壁部１１Ｆを前側にして、上壁部１１Ａの上面をミラーキャビネット３の収納部３Ｄの下端面に当接して収納部３Ｄの下部に取り付けられている。また、第１照明部１０は、上側透光部１１Ｂ及び下側透光部１１Ｅが収納部３Ｄの前面を閉鎖した閉鎖状態の鏡３Ａ，３Ｂ，３Ｃの前方に位置するように配置されている。
【００２８】
図８に示すように、第２照明部３０は、第２ケース３１の前壁部３１Ｆに貫通孔が設けられていない点、スイッチ基板１５を有していない点、第２ケース３１の下壁部１１Ｄの下面を収納部３Ｄの上端面に当接して収納部３Ｄに取り付けられている点等が第１照明部１０と相違する。他の構成は第１照明部１０と同一であり、同一の構成は同一の符号を付し、詳細な説明を省略する。
第２照明部３０は、第２ケース３１、固定部材１２、照明用基板１３、反射板１４、及び一対の閉鎖部材１６を有している。第２ケース３１は、上壁部１１Ａ、第２透光部である上側透光部１１Ｂ、後壁部１１Ｃ、下壁部１１Ｄ、第２透光部である下側透光部１１Ｅ、及び前壁部３１Ｆを具備している。第２照明部３０の下側透光部１１Ｅは、第２照明部３０の第２ケース３１の下面に設けられている。
【００２９】
照明用基板１３は、照明用基板本体１３Ａ、第２光源である複数のＬＥＤ素子１３Ｂ等を具備している。つまり、第２照明部３０はＬＥＤ素子１３Ｂを具備している。
また、照明用基板１３は、第１照明部１０と同様に、左右両側部が左右中央部に向けて湾曲している。これにより、照明用基板１３の左右両側部のＬＥＤ素子１３Ｂの光の照射方向が左右中央部に向くことになるため、左右両側部のＬＥＤ素子１３Ｂは左右中央部に向けて光を照射することができる。つまり、第２透光部である上側透光部１１Ｂ及び下側透光部１１Ｅの左右両端領域に位置するＬＥＤ素子１３Ｂの光の照射方向は、ミラーキャビネット３の前方の左右中央部に向いている。
【００３０】
第２照明部３０は前壁部３１Ｆを前側にして、下壁部１１Ｄの下面を収納部３Ｄの上端面に当接してミラーキャビネット３の収納部３Ｄの上部に取り付けられている。また、第２照明部３０は、上側透光部１１Ｂ、及び下側透光部１１Ｅが収納部３Ｄの前面を閉鎖した閉鎖状態の鏡３Ａ，３Ｂ，３Ｃの前方に位置するように配置されている。第２照明部３０の上側透光部１１Ｂ、及び下側透光部１１Ｅはミラーキャビネット３の収納部３Ｄの左右方向の全幅にわたって延びている（図１参照。）。
【００３１】
電源部は、ガラスエポキシ基板にスイッチング電源回路、マイコン電源、ＬＥＤ電源、マイコン等が実装されている。スイッチング電源回路は商用電源から供給された交流の電力を基にして直流の電力を作ることができる。マイコン電源はスイッチング電源回路で作られた直流の電力が供給されてマイコンが動作する直流の電力を作ることができる。ＬＥＤ電源はスイッチング電源回路で作られた直流の電力が供給されて各照明用基板１３のＬＥＤ素子１３Ｂを発光させる直流の電力を作ることができる。マイコンは各照明用基板１３のＬＥＤ素子１３Ｂの発光を制御することができる。こうして、ミラーキャビネット３は構成されている。
【００３２】
洗面化粧台１は、先ず、洗面台２を設置する洗面室等の床面Ｆの所定の位置に載置した状態で、洗面台２を壁面Ｗへねじ止めして固定する（図１、２参照。）。次に、ミラーキャビネット３を洗面台２の背板部２Ｅの上端面に下端面を当接させつつ、背板部２Ｅの左右両端にミラーキャビネット３の左右両端を揃えて載置した状態で、ミラーキャビネット３を壁面Ｗへねじ止めして固定する（図２参照。）。こうして、洗面化粧台１は設置される。
第１照明部１０、及び第２照明部３０のＬＥＤ素子１３Ｂの状態が消灯状態（オフ状態）である第１状態の洗面化粧台１のスイッチ１５Ａを使用者が操作すると、ＬＥＤ素子１３Ｂの状態が消灯状態（オフ状態）である第１状態から点灯状態（オン状態）である第２状態に切り替わる。すると、第１照明部１０のＬＥＤ素子１３Ｂからの光Ｌが反射板１４で反射され、第１ケース１１の第１透光部である上側透光部１１Ｂ及び下側透光部１１Ｅを透過する（図１、４参照。）。また、第２照明部３０のＬＥＤ素子１３Ｂからの光Ｌが反射板１４で反射され、第２ケース３１の第２透光部である上側透光部１１Ｂ及び下側透光部１１Ｅを透過する（図１、８参照。）。そしてＬＥＤ素子１３Ｂの状態が点灯状態（オン状態）である第２状態のときにスイッチ１５Ａを使用者が操作すると、再びＬＥＤ素子１３Ｂの状態が消灯状態（オフ状態）である第１状態に切り替わる。
【００３３】
このように、ミラーキャビネット３の第１照明部１０は、上側透光部１１Ｂ及び下側透光部１１Ｅの左右方向の範囲内にスイッチ１５Ａが設けられているため、限られた収納部３Ｄの左右幅に配置される第１照明部１０の上側透光部１１Ｂ及び下側透光部１１Ｅをスイッチ１５Ａの配置によって妨げられることなく左右方向に長くすることができる。これにより、ミラーキャビネット３は光を照射する範囲を左右方向に拡げることができる。
【００３４】
したがって、本発明のミラーキャビネット３は使用者や被照射物を良好に照らすことができる。
【００３５】
また、上側透光部１１Ｂ及び下側透光部１１Ｅは、ミラーキャビネット３の左右全幅にわたって延びている。このため、ＬＥＤ素子１３Ｂから上側透光部１１Ｂ及び下側透光部１１Ｅを透過した光を収納部３Ｄの前方に位置する使用者や被照射物に対してより左右方向の離れた位置から照射することができる。このため、この洗面キャビネットは、使用者や被照射物の左右側面部に光を照射することができるため、使用者や被照射物の左右側面部に影が生じることを抑えることができる。
【００３６】
また、ミラーキャビネット３は、収納部３Ｄの上部に設けられた第２照明部３０を備えており、第２照明部３０は、ＬＥＤ素子１３Ｂ、第２照明部３０の上面及び下面に設けられ、ＬＥＤ素子１３Ｂからの光Ｌが透過して、収納部３Ｄの左右方向に延びる上側透光部１１Ｂ及び下側透光部１１Ｅを有している。このため、ミラーキャビネット３の前方に位置する使用者や被照射物に対して、ＬＥＤ素子１３Ｂから上側透光部１１Ｂ及び下側透光部１１Ｅを透過した光Ｌを使用者や被照射物の上側から照射することができる。これにより、ミラーキャビネット３は、使用者や被照射物の上側面部に光Ｌを照射することができるため、使用者や被照射物の上側面部に影が生じることを抑えることができる。
【００３７】
また、第１照明部１０の上側透光部１１Ｂ及び下側透光部１１Ｅの左右両端領域に位置するＬＥＤ素子１３Ｂの光の照射方向、及び第２照明部３０の上側透光部１１Ｂ及び下側透光部１１Ｅの左右両端領域に位置するＬＥＤ素子１３Ｂの光の照射方向が、収納部３Ｄの前方の左右中央部に向いている。このため、第１照明部１０及び第２照明部３０のそれぞれの上側透光部１１Ｂ及び下側透光部１１Ｅの左右両端部から照射される光は、収納部３Ｄの左右方向の外側に照射されることが抑えられ、使用者や被照射物に向けて良好に照射される。
【００３８】
本発明は上記記述及び図面によって説明した実施例１に限定されるものではなく、例えば次のような実施例も本発明の技術的範囲に含まれる。
（１）実施例１では、スイッチが第１ケースの前壁部の貫通孔に位置するように配置されているが、図９、１０に示すように、第１照明部１１０の第１ケース１１１の下壁部１１１Ｄに貫通孔１１１Ｋを形成し、スイッチ基板１５をボタン１５Ｃが第１ケース１１１の下壁部１１１Ｄの貫通孔１１１Ｋに位置するように第１ケース１１１に取り付けてもよい。つまり、スイッチ１５Ａは第１照明部１１０の下面に配置された下側透光部１１Ｅより後側に配置されている。
（２）実施例１では、白色に発光するＬＥＤ素子の状態をスイッチによって点灯状態である第２状態、及び消灯状態である第１状態の２つの異なる状態に切り替えているが、昼光色のＬＥＤ素子と電球色のＬＥＤ素子とを照明用基板の長手方向に交互に配置して、スイッチを操作する毎に、昼光色のＬＥＤ素子と電球色のＬＥＤ素子とを相補的に点灯状態にさせてもよい。具体的には、電球色のＬＥＤ素子及び昼光色のＬＥＤ素子の状態が消灯状態である第１状態のときにスイッチを操作すると、電球色のＬＥＤ素子又は昼光色のＬＥＤ素子のいずれか一方のみが点灯状態になる第２状態に切り替わる。そして、第２状態でスイッチを操作すると、電球色のＬＥＤ素子又は昼光色のＬＥＤ素子のいずれか一方が消灯状態になると共に電球色のＬＥＤ素子又は昼光色のＬＥＤ素子のいずれか他方が点灯状態になる第３状態に切り替わる。そして、第３状態でスイッチを操作すると、電球色のＬＥＤ素子又は昼光色のＬＥＤ素子のいずれか他方が消灯状態になり、再び第１状態に切り替わる。つまり、スイッチは電球色のＬＥＤ素子及び昼光色のＬＥＤ素子の状態を３つの異なる状態に切り替える。
また、例えば、第３状態でスイッチを操作した後、電球色のＬＥＤ素子と昼光色のＬＥＤ素子とが同時に点灯状態になる第４状態に切り替えてもよい。この場合、スイッチは電球色のＬＥＤ素子及び昼光色のＬＥＤ素子の状態を４つの異なる状態に切り替える。
（３）実施例１では、照明用基板、及び電源部にガラスエポキシ基板を用いているが、これに限らず、照明用基板、及び電源部に紙エポキシ基板等の他の材質の基板を用いても良い。
（４）実施例１では、照明用基板に白色光を発するＬＥＤ素子を用いているが、これに限らず、照明用基板に赤色、青色、緑色に発光するＬＥＤ素子を用い、これら赤色、青色、緑色に発光するＬＥＤ素子を同時に発光させて白色光を再現しても良い。
（５）実施例１では、接続部材にワイヤーハーネスを用いているが、これに限らず、接続部材にフレキシブルプリント配線板を用いても良い。
（６）実施例１では、照明用基板の左右両側部が左右中央部に向けて湾曲しているが、固定部材に突起部を設けず、照明用基板の他方の面の全体を固定部材の基板固定部の前面に当接させ、上側透光部及び下側透光部にフレネルレンズ等を設けてもよい。
【符号の説明】
【００３９】
３Ｄ…収納部（キャビネット本体）
１０…第１照明部
１１Ｂ…上側透光部（第１透光部）、（第２透光部）
１１Ｅ…下側透光部（第１透光部）、（第２透光部）
１３…照明用基板
１３Ｂ…ＬＥＤ素子（第１光源）、（第２光源）
１５Ａ…スイッチ
３０…第２照明部
【図１】
2019162211.tif 000003
【図２】
2019162211.tif 000004
【図３】
2019162211.tif 000005
【図４】
2019162211.tif 000006
【図５】
2019162211.tif 000007
【図６】
2019162211.tif 000008
【図７】
2019162211.tif 000009
【図８】
2019162211.tif 000010
【図９】
2019162211.tif 000011
【図１０】
2019162211.tif 000012